(57)【要約】      （修正有）【課題】くっついた２個の磁石が回転しやすい性質を利用して、長期間使用してもホワイトボードとマーカを結合してもホワイトボードがペン体に埋設された永久磁石上を容易に回動し、かつ、任意の位置で固定することができる可搬型メッセージボードを提供する。【解決手段】ボード本体１およびペン体とからなるメッセージボードにおいて、ボード本体はその外周に突起部２を有する円板体であり、円板体の中心部にマグネット３が埋設され、他方、ペン体はマーカとホルダからなり、ホルダは、その側壁に永久磁石を有し、その下部または別の側壁に挿入孔を有し、かつ、マグネットおよび当該永久磁石とのあいだに非磁性の非金属膜を設けた。【選択図】図１
2016198972.tif 000002
【特許請求の範囲】
【請求項１】
ボード本体およびペン体とからなるメッセージボードにおいて、当該ボード本体はその外周に突起部を有する円板体であり、当該円板体の中心部にマグネットが埋設され、他方、当該ペン体はマーカとホルダからなり、当該ホルダは、その側壁に永久磁石を有し、その下部または別の側壁に挿入孔を有し、かつ、当該マグネットおよび当該永久磁石とのあいだに非磁性の非金属膜を設けたことを特徴とするメッセージボード。
【請求項２】
ボード本体およびペン体とからなるメッセージボードにおいて、当該ボード本体はその外周に突起部を有する円板体であり、当該円板体の中心部にマグネットが埋設され、当該マグネットの表面はプラスチックフィルムで覆われており、他方、当該ペン体はマーカとホルダからなり、当該ホルダは、その下部または別の側壁に挿入孔を有し、その側壁に永久磁石を有するものであることを特徴とするメッセージボード。
【請求項３】
前記マグネットが中実の円柱体であることを特徴とする請求項１または請求項２に記載のメッセージボード。
【請求項４】
前記永久磁石の表面が樹脂膜で覆われていることを特徴とする請求項１または請求項２に記載のメッセージボード。
【請求項５】
前記永久磁石の面積が前記マグネットの面積と同一である対抗面を有していることを特徴とする請求項１または請求項２に記載のメッセージボード。
【請求項６】
前記ペン体の全長が前記円板体の半径よりも長いことを特徴とする請求項１または請求項２に記載のメッセージボード。
【請求項７】
前記挿入孔が前記マーカのキャップ形状であることを特徴とする請求項１または請求項２に記載のメッセージボード。
【請求項８】
前記挿入孔が前記マーカの異なる外径に対応した階段状の段付きテーパ形状であることを特徴とする請求項１または請求項２に記載のメッセージボード。
【請求項９】
前記メッセージボードが写真撮影用のものであることを特徴とする請求項１または請求項２に記載のメッセージボード。
【発明の詳細な説明】
【技術分野】
【０００１】
本発明は、ホワイトボードとマーカを組合せた可搬型メッセージボードに関する。
【背景技術】
【０００２】
従来から、建物、橋梁、道路などの各種建造物を点検および調査する際に、現況や損傷状況またはその際の作業状況を記録して審査確認の資料とするため、工事現場を写真撮影することが行なわれている。具体的には、工事名、撮影箇所、その他特記事項を明示した工事用黒板を各種建造物と共に写真撮影している。この場合、工事内容を確認するのに役立つ「工事内容を表示する工事図面表示部を有する表示板と、この表示板を前面に配する表示板取付部を設けた枠体とからなるとともに、この枠体を地表に立てて支持する脚片を前記枠体に収納自在に設けてなる工事用の表示用具」を用いることが知られている（特開平８−１０８６８８号公報（後述する特許文献１））。
【０００３】
また、メモや行事等の書込みや消去ができるうえ、写真を体裁よく簡単に取付けることができるメモ書きボードとして、「写真や書画を写した画面部と、空欄のある書込み部と、背面側まで開口した窓部と、写真を背面側に添わせて窓部から画像を表出させる写真収納ポケット部と、を有するボード本体と；前記ボード本体の少くとも正面側を覆って設けられホワイトボード用マーカーによる書込みおよび消去が可能な透明ケースと；を備えたことを特徴とする写真付メモ書きボード」が知られている（特開平７−２２８０９１号公報（後述する特許文献２））。
【０００４】
また、ホワイトボードと同様な筆記性と消去性を備えて伝言やメッセージを伝えることができる「マーカーペンの筆記性と消去性を具備した樹脂処理シートの裏面に、再剥離性粘着剤層が設けられ、該再剥離性粘着剤層下面に離型紙が設けられていることを特徴とするメッセージシート（実登３０１７５７２号公報）」や「ホワイトボードのように使用することができる表面が合成樹脂加工された複数枚のホワイト用紙と、この複数枚のホワイト用紙の一端部に取付けられたリング状綴じ具あるいは該複数枚のホワイト用紙の一端部を綴じる綴じ具とからなることを特徴とするホワイトノート（特開２００７−８３４０６号公報）」などが知られている。
【０００５】
しかしながら、表示板やメッセージシートに工事箇所等を表示するには、写真撮影された工事箇所等の画像プリントを表示板やメッセージシートに貼り付け、その横に必要なメッセージを書き留めた後、これを再度、デジカメ、携帯電話、スマートフォン等のモバイル機器により写真撮影して画像データに取り込み、そのコンテンツを伝送する必要性があった。いわゆる二重手間をかけていた。
【０００６】
他方、ホワイトボードに磁石を用いることは、広く一般的に行われていた。例えば、「魚の形状をした鉄板製ホワイトボードにおいて眼の箇所に磁石を付着した字消しをボード面に吸着し、尾翼の箇所のボード裏面に筆記具受けを設け該箇所に筆記具を挿入してなるインテリアホワイトボード（実開昭５１−９８６３７号公報）」がある。
【０００７】
その他、サインペンなどの支持目的対象物を、ホワイトボードなどの磁性材に吸着支持させるために、キャップ形状またはバンドなどの支持具にマグネットを装着した吸着支持具（実開昭５４−８０６９号公報）、「筒状に形成されてその内周面で筆記具を挟持しうる保持体と、該保持体の外側部に形設されたクリップ体と、前記保持体の外側部に取付けられて磁性物に磁着できる永久磁石体とを具備したことを特徴とする筆記具用付属具（実開昭５８−８６３９１号公報）」、「表面部材にマグネットを吸着可能に構成したボード本体と、そのボード本体の表面部材に文字等を書き込み可能なペン体と、その書き込んだ文字等を消去可能なイレーザーと、ボード本体とは別個に成形してマグネットを一体的に取付けたトレーとを具えて、そのトレーをボード本体における表面部材の任意の場所に吸着可能となし且つボード本体から取り外し可能となしたことを特徴とするホワイトボード（実登３０７８６８１号公報（後述する特許文献３））」などが知られている。
【０００８】
また、図３に示すように、ホルダの長手方向にスリットを設けてマーカをホルダにはめ込むようにした、「マーカを着脱自在に保持するクリップ部を形成した本体の背面に磁石を固着したマーカ接着具（特開平２ー１６０５９８号公報）」も知られている。さらに、図４に示すように、ホルダの下部の挿入孔を階段状にして「各筆記具ホルダの内部を、先端開口部から基端に向かって階段状に次第に縮径する段付きテーパ状とした」筆記具スタンド（実開昭５９−１７１９８２号公報）」も知られている。
【０００９】
しかしながら、これまでの磁石を用いたメッセージボードは、ホワイトボードまたはマーカの一方に強力な磁石の磁力を用いてホワイトボード上にマーカを任意の位置で強固に固定するものである。そのためマーカの位置をずらしたり回動したりして適正な位置で固定することは想定されておらず、また、そのような位置の移動や回転は困難であった。逆に、磁石の磁力を弱くしてマーカの位置をずらしやすくしたり回動したりしやすくすると、ホワイトボードからマーカがずり落ちてマーカの位置合わせをすることができなかった。
【００１０】
このため適度な磁力を有する磁石を選択することが困難であった。また、たまたま最適な磁力でもってホワイトボード上に磁石付マーカを任意の位置で固定することができたとしても、磁力がホワイトボードに吸収されて磁石は経時劣化するので、長期間継続して利用することができなかった。すなわち、時間が経過すると磁力が劣化してマーカを別の所定の位置にうまく移動や回動をさせることができず、ホワイトボードからマーカがずり落ちて写真撮影などをすることができないという課題があった。
【先行技術文献】
【特許文献】
【００１１】
【特許文献１】特開平８−１０８６８８号公報
【特許文献２】特開平７−２２８０９１号公報
【特許文献３】実登３０７８６８１号公報
【発明の概要】
【発明が解決しようとする課題】
【００１２】
本発明は、上記課題にかんがみてなされたものであり、長期間使用しても任意の位置で固定することができ、かつ、ボード本体の突起部を容易に回動することができる可搬型メッセージボードを提供することを目的とする。
【課題を解決するための手段】
【００１３】
前記した目的を達成するため、本発明は、垂直方向に強力な磁力を有する２個の磁石における水平方向の磁力が弱いという性質を利用するものである。すなわち、永久磁石とマグネットとの間に非磁性の非金属膜を介在させることにより永久磁石とマグネットの強力な垂直方向の磁力を適度に弱めながら、ペン体の一端を持ってもくっついたボード本体を保持することができるとともに、もとから弱い水平方向の磁力を用いて永久磁石がマグネット上のプラスチックフィルム等を滑るようにした。さらに、２個の磁石を組合せておくと、長期間放置しても磁力が失われにくいという性質を利用するものである。
【００１４】
本発明のメッセージボードの一つは、ボード本体およびペン体とからなるメッセージボードにおいて、当該ボード本体はその外周に突起部を有する円板体であり、当該円板体の中心部にマグネットが埋設され、他方、当該ペン体はマーカとホルダからなり、当該ホルダは、その側壁に永久磁石を有し、その下部または別の側壁に挿入孔を有し、かつ、当該マグネットおよび当該永久磁石とのあいだに非磁性の非金属膜を設けたことを特徴とする。
【００１５】
本発明のメッセージボードのもう一つは、ボード本体およびペン体とからなるメッセージボードにおいて、当該ボード本体はその外周に突起部を有する円板体であり、当該円板体の中心部にマグネットが埋設され、当該マグネットの表面はプラスチックフィルムで覆われており、他方、当該ペン体はマーカとホルダからなり、当該ホルダは、その下部または別の側壁に挿入孔を有し、その側壁に永久磁石を有するものであり、かつ、当該円板体の半径は当該ペン体の全長よりも短いものであることを特徴とする。
【００１６】
また、本発明の好ましい実施態様は以下のとおりである。
前記マグネットは中空の円柱体よりも中実の円柱体であることが好ましい。また、前記永久磁石の表面は樹脂膜で覆われていることが好ましい。また、前記永久磁石の面積は前記マグネットの面積と同一である対抗面を有していることが好ましい。また、前記永久磁石は前記ペン体の凸部を形成していることが好ましい。また、前記円板体の半径は前記ペン体の全長よりも短いことが好ましい。また、前記挿入孔は前記マーカのキャップ形状であることが好ましい。また、前記メッセージボードは写真撮影用のものであることが好ましい。
【００１７】
本発明において、非磁性の非金属膜とは、マグネットおよび永久磁石の金属面に対して滑り性の良いプラスチックや紙の薄いシートをいう。プラスチックや紙に非磁性のものを用いると、磁力が遮られることがない。そこで、ボード本体およびペン体の重量に合わせてマグネットおよび永久磁石の種類や大きさを定め、それらの磁力の強さに合わせて薄いシートの厚さを適宜調整し、垂直方向の吸引力と水平方向の回転力を決定するようにした。
【００１８】
本発明において、ボード本体およびペン体にマグネットおよび永久磁石を用いるのは、吸着した２個の磁石が回転しやすい性質を利用して、ボード本体とペン体とをくっつけ、ペン体の一端を持ってもボード本体を保持することができるようにするためである。
【００１９】
磁石の種類としては、フェライト磁石、希土類磁石、アルニコ磁石、白金コバルト磁石などがあり、これらの磁石粉末をゴムやプラスチックに混練したゴム磁石やプラスチック磁石などがある。好ましくは、保持力が強いサマリウムコバルト磁石やネオジム磁石が良い。マグネットと永久磁石に保持力が強いネオジム磁石等を用いると、マグネットの表面も種々のプラスチックフィルム等で覆うことができる。
【００２０】
マグネットを中実の円柱体のもの、いわゆる円盤形状にすると、ボード本体およびペン体の中心軸合わせが簡単になる。この場合、永久磁石は中空または中実の円柱体のものにすることができる。永久磁石の面積がマグネットと同一面積の対抗面を有していれば、ボード本体の回動中心がずれることがなくなる。また、ボード本体が大きくなれば中空のマグネットを用いたり、複数のマグネットを用いたりすることができる。なお、ペン体に半球状の永久磁石を用いることもできる。
【００２１】
また、マグネットの表面を特にプラスチックフィルムで覆うと、紙の薄膜よりもマグネットと永久磁石との滑りがよくなり回動しやすくなる。すなわち、ボード本体を回動させる場合は弱い磁力が働くので少ない指の力で済み、かつ、ボード本体がペン体と離れる動きをした場合は、プラスチックフィルムを介していても強い磁力が働くので自律的に吸着状態を保つことができる。
【００２２】
なお、マグネットと永久磁石とを直接接するようにしても、金属同士の滑り摩擦抵抗が大きく吸着力も強いので、うまく回動させることができない。また、マグネットと永久磁石とを直接接するようにすると、マグネットおよび永久磁石の接触面に磁性粉等のゴミがたまり、回動しにくくなる。
【００２３】
強力な磁力を有するマグネットをプラスチックフィルム等で覆うと、プラスチックフィルムと樹脂膜や紙の薄膜と永久磁石などが直接接触するので、ボード本体およびペン体との滑りがよくなる。その結果、ペン体のホルダ上でボード本体を容易に回動することができるようになる。より滑りやすくするため永久磁石の表面も樹脂等の薄膜で覆われていることが好ましい。プラスチックフィルムまたは樹脂膜の厚さによってマグネットと永久磁石とのあいだの距離が離れるので、磁力の強さを調整することができる。マグネットや永久磁石の表面が樹脂膜で覆われていると、磁性粉等のゴミが付着しても簡単にぬぐい去ることができる。
【００２４】
また、本発明において、ペン体の全長をボード本体の円板体の半径よりも長くすると、片手でペン体を持ってボード本体の突起部で被写体を指し示し、反対の手で写真撮影することができる。ボード本体における円板体の外周に設けられた突起部は、指標のわかりやすさから二等辺三角形の形状や矢印の形状が良い。
【００２５】
また、本発明において、ホルダは既存のマーカを保持するためである。マーカにキャップが無い場合は、ホルダの下部に挿入孔を有することによって、マーカを保持し、インクの蒸発を防ぐことができる。ホルダの挿入孔をマーカのキャップ形状にすると、独立したキャップ体を作製しなくて済み、キャップが紛失することもなくなる。また、マーカが消耗した場合、マーカだけを取り替えて使用することができるようにするためである。
【００２６】
ホルダの下部の挿入孔は複数のマーカに対応できるように複数個にして用いることができる。また、ホルダの下部の挿入孔を階段状にして一個のホルダで複数の直径および芯長を有するマーカを挿入できるようにしても良い。挿入孔の先端は閉じているが、挿入孔の側胴部分にスリット溝を設け、直径の異なるマーカを挿入できるようにしても良い。なお、ホルダの上部にイレーザを設けることもできる。
【００２７】
また、本発明において、メッセージボードが写真撮影用のものが好ましいとしたのは、片手でペン体を持ち、三角形状の突起部で被写体を簡単に指し示すことができるので、ボード本体に短いメッセージを何度も書き込みながら複数の被写体を次々と変えることができるからである。撮影した画像や動画などのコンテンツは、即時にインターネット経由でアップロードしたり、転送したりすることができる。なお、ボード本体の色は、白色が一般的であるが、薄い赤色、青色、黄色を用いてもよく、黒色であっても良い。
【発明の効果】
【００２８】
本発明のメッセージボードによれば、磁力が強いので、ペン体からボード本体が回転したりずり落ちたりすることはなく、どのような角度でも被写体を正しい位置で指し示すことができる。よって、緊急時の連絡のほか、料理の紹介等手軽な携帯メール送信等にも利用できる。また、本発明のメッセージボードによれば、簡単なメッセージをボードに書き込むことができるので、これまでのように被写体を撮影してホワイトボードに貼り付けてメッセージを書き込むなどする二重の手間ひまが不要になる。
【００２９】
さらに、本発明のメッセージボードによれば、片手でペン体を持って三角形状の突起部で被写体を指し示しながら、反対の手で写真撮影することができる。また、本発明のメッセージボードによれば、マグネット上にくっついた磁性体の粉や片を簡単に拭うことができるので、磁力がいつも一定の状態で本発明のメッセージボードを使用することができる。また、挿入孔を市販のマーカの直径に合わせておけば、マーカが消耗して書けなくなっても、マーカを簡単に交換して本発明のメッセージボードを繰り返し使用することができる。
【発明を実施するための形態】
【００３０】
発明の実施形態について、適宜図面を参照しながら詳細に説明する。
図１は、本発明の実施形態に係るメッセージボードのボード本体であり、（ａ）はその正面図および（ｂ）は、Ａ−Ａ線の断面図である。図１に示すように、メッセージボードのボード本体１は、厚さ３ｍｍ、直径８０ｍｍの円板体を基台とし、その外周に幅８ｍｍ、長さ１５ｍｍの三角形状の突起部２を有し、その中心部に中実の円柱体のマグネット３（外径８ｍｍ×高さ２ｍｍ）が埋め込まれ、その裏面の全面に厚さ０．３ｍｍのプラスチックフィルム４が面一にラミネートされている。また、ボード本体１の表面は、図示しないが、白色紙台にポリ塩化ビニールの透明フィルム（厚さ０．４ｍｍ）が積層され、ホワイトボードを構成している。
【００３１】
他方、図２に示すように、ペン体５は、マーカ６（外径９ｍｍ×全長１００ｍｍ）が挿入されたホルダ７（マーカ６を合算した全長１２０ｍｍ）にイレーザ８（幅１０ｍｍ×長さ１０ｍｍ×高さ５ｍｍ）が付設されている。ホルダ７は、その内部にマーカ６をハメ合わせるための挿入孔１０（内径８ｍｍ×深さ２７ｍｍ）と、その側壁に中実の円柱体の永久磁石１２（外径８ｍｍ×高さ２ｍｍ）が埋め込まれている。ペン体５の永久磁石１２は熱収縮性の樹脂膜１４（厚さ０．３ｍｍ）で固定されている。
【００３２】
次に、マグネット３と永久磁石１２とのネオジム磁石の磁力をはかるため、マグネット３と永久磁石１２とを直接くっつけ、ひきはがす際の力を測定した。輪ゴム（内径３０ｍｍ×幅３ｍｍ×厚さ０．７ｍｍ）の一端をマグネット３に接着し、マグネット３を永久磁石１２に直接吸着させた後、マグネット３を引きはがした。このとき輪ゴムの伸びは自然長から１４０ｍｍ以上伸びたところで、輪ゴムの接着剤がマグネット３からはがれた。また、マグネット３にボード本体１を取り付け、永久磁石１２をラジオペンチで保持し、指でボード本体１の突起部２を回そうとしたが、回動しなかった。
【００３３】
次に、マグネット３と永久磁石１２との間にプラスチックフィルム４を介在させて両者をくっつけ、ひきはがす際の力を測定したところ、輪ゴムの伸びは自然長から１１０ｍｍ伸びた。このとき、指で突起部２を回したところ、楽に回動した。更に、マグネット３と永久磁石１２との間にプラスチックフィルム４および樹脂膜１４を介在させて両者をくっつけ、ひきはがす際の力を測定したところ、輪ゴムの伸びは自然長から９０ｍｍ伸びた。
【００３４】
上記結果から明らかなとおり、マグネット３と永久磁石１２との垂直方向の強力な磁力は、プラスチックフィルム４および樹脂膜１４を介在させると調節できることがわかる。よって、メッセージボードの突起部２を被写体に位置合わせをし、ペン体５を持てば、ボード本体１は被写体の位置でしっかり保持できる。また、プラスチックフィルム４を介在させた場合やプラスチックフィルム４および樹脂膜１４を介在させた場合は、ボード本体１の突起部２を回す力はいずれの場合も弱く、簡単に回動することができることがわかる。
【産業上の利用分野】
【００３５】
本発明における被写体は、パーティ等の料理や食器類のほか、工事現場における工事箇所、緊急医療等の患者の傷害箇所、災害現場での危険箇所等のさまざまなものがあり、本発明のメッセージボードはこれらの被写体の大きさに合わせて適宜形状を拡大縮小することができ、写真撮影用の被写体の表示に利用することができる。
【図面の簡単な説明】
【００３６】
【図１】本発明の実施形態に係るメッセージボードのボード本体である。
【図２】本発明の実施形態に係るメッセージボードのペン体の断面図である。
【図３】従来例に係るはめ込み構造の概略図である。
【図４】従来例に係るキャップ形状の断面図である。
【符号の説明】
【００３７】
１：ボード本体
２：突起部
３：マグネット
４：プラスチックフィルム
５：ペン体
６：マーカ
７：ホルダ
１０：挿入孔
１２：永久磁石
１４：樹脂膜
【図１】
2016198972.tif 000003
【図２】
2016198972.tif 000004
【図３】
2016198972.tif 000005
【図４】
2016198972.tif 000006